(57)【特許請求の範囲】
【請求項１】
物品に付されたIDソースから読み取られた物品IDの読み取り回数を、前記物品ID対応に格納する物品DBと、
前記物品の精算処理を行う端末から前記物品IDを受信し、受信した前記物品IDに対応する前記読み取り回数を前記物品DBから読み込んで、前記読み取り回数が所定値以上であれば前記物品の検査促進通知を前記端末に出力する制御部と、を備える物品管理サーバ。
【請求項２】
物品に付されたIDソースから読み取られた物品IDの読み取り回数を、前記物品ID対応に格納する物品DBと、
前記物品の精算処理を行う精算装置の近傍に設置された端末から前記物品IDを受信し、
受信した前記物品IDに対応する前記読み取り回数を前記物品DBから読み込んで、前記読み取り回数が所定値以上であれば前記物品の検査促進通知を前記端末に出力する制御部と、
を備える物品管理サーバ。
【請求項３】
前記制御部は、第１のIDリーダが読み取った前記物品IDを受信して、受信した前記物品IDに対応する前記読み取り回数を加算し、
前記端末は、第２のIDリーダが読みと取った前記物品IDを前記制御部に送信する、請求項１または２の物品管理サーバ。
【請求項４】
前記物品の種別対応に検査対象構成部分を示す付帯情報を格納する情報DBを備え、
前記制御部は、前記第２のIDリーダが読み取った前記物品IDを持つ前記物品の前記種別に対応する前記付帯情報を前記情報DBから検索して前記端末に出力する請求項３の物品管理サーバ。
【請求項５】
前記情報DBは、前記物品の種別対応にいき値を格納し、
前記制御部は、前記第２のIDリーダが読み取った前記物品IDを持つ前記物品の前記種別に対応する前記いき値を前記情報DBから検索して、前記読み取り回数と前記いき値を比較し、前記比較結果に基づいて前記検査促進通知をする請求項４の物品管理サーバ。
【請求項６】
請求項１ないし５のいずれかの物品管理サーバと、前記端末を備えた物品管理システム。
【請求項７】
コンピュータが、
物品に付されたIDソースから読み取られた物品IDの読み取り回数を、前記物品ID対応に物品DBに格納し、
前記物品の精算処理を行う端末から前記物品IDを受信し、受信した前記物品IDに対応する前記読み取り回数を前記物品DBから読み込んで、前記読み取り回数が所定値以上であれば前記物品の検査促進通知を前記端末に出力する、物品管理方法。
【請求項８】
前記コンピュータは、第１のIDリーダが読み取った前記物品IDを受信して、受信した前記物品IDに対応する前記読み取り回数を加算し、
前記端末は、第２のIDリーダが読みと取った前記物品IDを前記コンピュータに送信する、請求項７の物品管理方法。
【請求項９】
前記コンピュータは、
前記物品の種別対応に検査対象構成部分を示す付帯情報を情報DBに格納し、
前記第２のIDリーダが読み取った前記物品IDを持つ前記物品の前記種別に対応する前記付帯情報を前記情報DBから検索して前記端末に出力する請求項８の物品管理方法。
【請求項１０】
物品に付されたIDソースから読み取られた物品IDの読み取り回数を、前記物品ID対応に物品DBに格納する処理と、
前記物品の精算処理を行う端末から前記物品IDを受信し、受信した前記物品IDに対応する前記読み取り回数を前記物品DBから読み込んで、前記読み取り回数が所定値以上であれば前記物品の検査促進通知を前記端末に出力する処理を、コンピュータに実行させる物品管理プログラム。
【発明の詳細な説明】
【技術分野】
【０００１】
本発明は物品管理システム、物品管理サーバ、端末、物品管理プログラム、および、物品管理方法に関する。
【背景技術】
【０００２】
特許文献１には、賞味期限などの鮮度情報を、食品にはり付けられる無線タグに格納し、その情報に基づいて計算された値引き情報をレジに表示する商品管理システムが記載されている。
【０００３】
特許文献２には、商品の管理履歴をデータベースから検索して、消費者側に提供するために端末に出力する商品履歴管理方法が記載されている。
【０００４】
特許文献３には、接触履歴情報を基に商品毎の接触累積回数を算出するとともに、算出した接触累積回数に基づいて接触履歴対応価格を算出して，通知するサーバが記載されている。
【０００５】
特許文献４には、商品陳列棚や試着室などに設置した顧客動向情報の収集システムであって、顧客が手に取ったあるいは試着した商品の商品情報を収集するシステムが開示されている。
【０００６】
特許文献５には、商品の名称、価格を音声として発生させるとともに商品画像を画面に表示するＰＯＳレジスターが開示されている。
【先行技術文献】
【特許文献】
【０００７】
【特許文献１】特開２００２−８３３６９号広報
【特許文献２】特開２００４−３４８３９１号広報
【特許文献３】特開２００６−０７９５１５号公報
【特許文献４】特開２００５−３０９６０１号公報
【特許文献５】特開平０７−３３４７５８号公報
【発明の概要】
【発明が解決しようとする課題】
【０００８】
特許文献１の商品管理システムは、レジに商品の値引き情報を表示するものであるため、利用者に渡す際に物品の品質を管理しないという問題があった。
【０００９】
特許文献２の商品履歴管理方法は、管理履歴情報を消費者側等の一般的な端末に出力するため、利用者に渡す際に物品の品質を管理しないという問題があった。
【００１０】
本発明の目的は、上記課題を解決するための、物品管理システム、物品管理サーバ、端末、物品管理プログラム、および、物品管理方法を提供することである。
【課題を解決するための手段】
【００１１】
本発明の一実施形態の物品管理サーバは、物品ＩＤと読み取り回数を対応付けて格納する物品ＤＢ、並びに、制御部に接続された第１のＩＤリーダから、前記第１のＩＤリーダが物品に付されたＩＤソースから読み取った前記物品ＩＤを入力して、前記物品ＩＤに対応する前記物品ＤＢの前記読み取り回数を加算し、前記物品の管理処理を行う管理部および出力部を備え、前記制御部に接続された端末から、前記物品ＩＤを入力して、前記物品ＩＤに対応する前記読み取り回数を前記物品ＤＢから読み込んで、前記読み取り回数に基づくメッセージを前記出力部に出力する前記制御部を備える。
【００１２】
本発明の一実施形態の物品管理プログラムは、物品ＩＤと読み取り回数を対応付けて格納する物品ＤＢを備えたコンピュータに、前記コンピュータに接続された第１のＩＤリーダから、前記第１のＩＤリーダが物品に付されたＩＤソースから読み取った前記物品ＩＤを入力して、前記物品ＩＤに対応する前記物品ＤＢの前記読み取り回数を加算し、前記物品の管理処理を行う管理部と出力部を備え前記コンピュータに接続された端末から、前記物品ＩＤを入力して、前記物品ＩＤに対応する前記読み取り回数を前記物品ＤＢから読み込んで、前記読み取り回数に基づくメッセージを前記出力部に出力する処理を実行させる。
【００１３】
本発明の一実施形態の端末は、物品ＩＤと読み取り回数を対応付けて格納する物品ＤＢを備える管理サーバの制御部に接続された第１のＩＤリーダから、前記第１のＩＤリーダが物品に付されたＩＤソースから読み取った前記物品ＩＤを入力して、前記物品ＩＤに対応する前記物品ＤＢの前記読み取り回数を加算する前記制御部に接続されて前記物品ＩＤを前記制御部に出力する、前記制御部から前記制御部が前記物品ＤＢから読み込んだ前記物品ＩＤに対応する前記読み取り回数に基づくメッセージを入力して出力する出力部と、前記物品の管理処理を行う管理部を備える。
【００１４】
本発明の一実施形態の物品管理方法は、物品ＩＤと読み取り回数を対応付けて格納する物品ＤＢを備えたコンピュータが、前記コンピュータに接続された第１のＩＤリーダから、前記第１のＩＤリーダが物品に付されたＩＤソースから読み取った前記物品ＩＤを入力して、前記物品ＩＤに対応する前記物品ＤＢの前記読み取り回数を加算し、前記物品の管理処理を行う管理部と出力部を備え前記コンピュータに接続された端末から、前記物品ＩＤを入力して、前記物品ＩＤに対応する前記読み取り回数を前記物品ＤＢから読み込んで、前記読み取り回数に基づくメッセージを前記出力部に出力する行程を有する物品管理方法。
【発明の効果】
【００１５】
本発明によれば、利用者に渡す際に物品の品質を管理することが出来る。
【図面の簡単な説明】
【００１６】
【図１】物品管理システム６０を示す図である。
【図２】物品ＤＢ３４の内容を示す図である。
【図３】物品ＩＤ７０の構成を示す図である。
【図４】情報ＤＢ３２の内容を示す図である。
【図５】第１のＩＤリーダ２０からの物品ＩＤ７０読み取り処理フローチャートである。
【図６】第２のＩＤリーダ４２からの読み取り処理フローチャートである。
【図７】第３の実施形態の物品管理システム６０を示す図である。
【図８】第３の実施形態における第２のＩＤリーダ４２からの読み取り処理フローチャートである。
【図９】本発明にかかる物品管理サーバ３０の一例を示す図である。
【図１０】本発明にかかる端末４０の一例を示す図である。
【図１１】メッセージ８０を示す図である。
【発明を実施するための形態】
【００１７】
本発明の第１の実施形態について説明する。図１は、本実施形態の物品管理システム６０を示す。物品管理システム６０は、相互にネットワーク５０に接続された、物品管理サーバ３０、端末４０、および、第１のＩＤリーダ２０を備えている。
【００１８】
物品管理サーバ３０は、制御部３６、物品ＤＢ３４、情報ＤＢ３２、および、物品管理プログラム３９を備えている。物品ＤＢ３４と情報ＤＢ３２は、データベースであり、ハードディスク等の記憶装置に格納される。物品管理サーバ３０は、制御部３６によりネットワーク５０に接続されている。本実施形態において、ネットワーク５０に接続されたコンピュータである物品管理サーバ３０内のプロセッサーが、記憶域に格納されている物品管理プログラム３９を読み込んで実行することで、制御部３６は機能する。同等な機能が、ハードウェアで実現されてもよい。
【００１９】
端末４０は、管理部４４、第２のＩＤリーダ４２、ＩＯ部４８、出力部４７、および、入力部４９を備えている。管理部４４は、物品１０の管理処理（後述）を行う。ＩＯ部４８は出力部４７および入力部４９と接続されている。管理部４４は第２のＩＤリーダ４２と接続されている。端末４０は、管理部４４とＩＯ部４８によりネットワーク５０に接続されている。
【００２０】
第１のＩＤリーダ２０と第２のＩＤリーダ４２は、物品１０に付されたＩＤソース１４から物品ＩＤ７０を読み取る。ここで、付すとは、はりつけ、縫いつけ、ぶら下げ、埋め込みなど、物品１０とＩＤソース１４を物理的に対応付けることを意味する。物品ＩＤ７０は物品１０のユニークな識別子である。
【００２１】
本実施形態における物品管理システム６０は、例えば、洋服売り場の端末４０に、洋服が試着された回数に基づく警告などを表示する。この表示は、洋服を購入しようとする顧客に当該洋服を渡す前に、試着回数の多い洋服については、販売員が、ボタンが取れていないかなどの検品を入念に実施することが出来るようにする。
【００２２】
物品１０は、例えば、商品としての衣服１１または装身具（以下、衣服１１と略記する）である。ＩＤソース１４は、例えば、物品ＩＤ７０を記憶域に記憶するＩＣタグ１５である。このとき、第１と第２のＩＤリーダ２０、４２は、それぞれ、第１と第２のＩＣタグリーダ２１、４３である。第１と第２のＩＣタグリーダ２１、４３は、それぞれのアンテナ２３を使用して無線で、ＩＣタグ１５から物品ＩＤ７０を読み取る。
【００２３】
第１のタグリーダ２１のアンテナ２３は、例えば、衣服１１の試着用の鏡２６に備えられている。従って、第１のタグリーダ２１は、衣服１１を持った、または、試着した顧客が鏡２６の前に立った回数を、当該衣服１１の試着回数の推定値として数えることが出来る。ここで数える回数は、ＩＣタグ１５が第１のＩＣタグリーダ２１の読み取り可能領域内に入ったのち出ていった回数である。第１のＩＣタグリーダ２１のアンテナ２３は、鏡２６を備えた部屋２７（試着室）の入り口や壁などに設けられていてもよい。この場合、第１のＩＣタグリーダ２１は、衣服１１を持った、または、試着した顧客が試着室に近づいた、または、入室した回数を当該衣服１１の試着回数の推定値として数えることが出来る。
【００２４】
また、本実施形態において、管理部４４は、例えば、精算部４５である。精算部４５は、物品１０としての衣服１１の価格７１を入力して、管理処理として支払い精算処理を行う。本実施形態において、支払い精算処理のための価格７１は、物品管理サーバ３０から入力される。
【００２５】
支払い精算処理は、精算部４５に接続された図示しない装置を経由して、電子マネーを格納するＩＣカードから価格７１分の電子マネーを差し引く処理を行ってもよい。支払い精算処理は、精算部４５に接続された図示しない装置を経由して、クレジットカード番号や銀行口座番号などを入力して、当該クレジットカードや銀行口座に価格７１を課金する処理を行ってもよい。精算部４５がキャッシュレジスタ機能を備えている場合は、支払い精算処理は、現金等の出し入れを記録するものであってもよい。この場合、現金の出し入れ自体は、例えば、精算部４５に接続された図示しない表示部や出力部４７に表示された価格７１を参照して、当該精算部４５のキャッシュレジスタを操作する販売員が行うことになる。
【００２６】
図２は、物品ＤＢ３４の内容を示す。物品ＤＢ３４は、物品ＩＤ７０に対応させて物品１０（例えば、衣服１１）の価格７１と読み取り回数７２を格納する。
【００２７】
読み取り回数７２は、第１のＩＤリーダ２０（例えば、第１のＩＣタグリーダ２１）がＩＤソース１４（例えば、ＩＣタグ１５）から当該物品ＩＤ７０の読み取りを行った回数である。物品管理サーバ３０は、読み取り回数７２や、読み取り回数７２に基づくメッセージ８０を、売り場の端末４０に出力する。売り場の販売員は、この出力をみて商品の検品を行う。
【００２８】
読み取り回数７２は、顧客と商品とのミスマッチを早期に発見するために使用されてもよい。例えば、本値が高いにもかかわらず購入されない場合は、何らかの問題があると判断して、物品管理サーバ３０が端末４０に警告を出力する。
【００２９】
図３は、物品ＩＤ７０の構成を示す。物品ＩＤ７０は、物品１０の種別７３と連番７４から構成される。種別７３は、例えば、衣服１１の商品型番であり、連番７４は、同一商品型番の個々の衣服１１を識別するための番号である。
【００３０】
図４は、情報ＤＢ３２の内容を示す。情報ＤＢ３２は、種別７３に対応させて付帯情報７５といき値７６を格納する。
【００３１】
付帯情報７５は、例えば、対応する種別７３の物品１０（例えば、衣服１１）の検品に関する情報である。本情報は、衣服１１の構成部分（ボタン、ジッパー、そで、等）ごとに、販売員の検品で問題が発見された回数を示すものであってもよい。このような情報が有れば、販売員は過去の実績に基づいて、問題が予想される箇所を注目して検品ができる。
【００３２】
いき値７６は、例えば、読み取り回数７２と比較して検品の警告を出すための値である。例えば、販売員が入力部４９を使用して、いき値７６を設定する。物品管理サーバ３０に備えられた図示しない学習機能部が、付帯情報７５内の検品実績に基づいて、いき値７６を変化させてもよい。学習機能部は、例えば、検品時により多くの問題（生地の痛み等）が見られる場合は、試着による劣化が大きいと判断し、検品対象比較回数を減らす（逆の場合は、増やす）。
【００３３】
図５は、第１のＩＤリーダ２０からの物品ＩＤ７０読み取り処理フローチャートである。
【００３４】
物品管理サーバ３０の制御部３６は、第１のＩＤリーダ２０がＩＤソース１４から物品ＩＤ７０を読み取るのを待ち合わせる（Ｓ１１でＮ）。第１のＩＤリーダ２０がＩＤソース１４から物品ＩＤ７０を読み取ると（Ｓ１１でＹ）、同部は、第１のＩＤリーダ２０から物品ＩＤ７０を、ネットワーク５０を介して入力する（Ｓ１２）。
【００３５】
その後、同部は、第１のＩＤリーダ２０がＩＤソース１４から当該物品ＩＤ７０を読み込めなくなるのを待ち合わせる（Ｓ１３でＹ）。第１のＩＤリーダ２０がＩＤソース１４から物品ＩＤ７０を読み込めなくなると（Ｓ１３でＮ）、同部は、物品ＤＢ３４から読み込んだ物品ＩＤ７０に対応する読み取り回数７２を取得して、１加算して、更新する（Ｓ１４）。
【００３６】
図６は、第２のＩＤリーダ４２からの読み取り処理フローチャートである。
【００３７】
端末４０の第２のＩＤリーダ４２がＩＤソース１４から物品ＩＤ７０を読み取る（Ｓ２１）と、管理部４４は、第２のＩＤリーダ４２から物品ＩＤ７０を、ネットワーク５０を介して入力して、物品管理サーバ３０に送信する（Ｓ２２）。第２のＩＤリーダ４２がＩＤソース１４から物品ＩＤ７０を読み取るのは、例えば、売り場の販売員が、ＩＣタグ１５を付された物品１０を第２のＩＤリーダ４２のアンテナ部分に近づけたときなどである。
【００３８】
物品管理サーバ３０の制御部３６は、当該物品ＩＤ７０を端末４０から入力して（Ｓ３１）、入力した物品ＩＤ７０に対応する価格７１および読み取り回数７２を物品ＤＢ３４から取得する（Ｓ３２）。同部は、物品ＩＤ７０から種別７３を取り出して、取り出した種別７３に対応する付帯情報７５およびいき値７６を情報ＤＢ３２から取得する（Ｓ３３）。
【００３９】
両者を比較して、読み取り回数７２がいき値７６以上であれば（Ｓ３４でＹ）、物品管理サーバ３０の制御部３６は、物品１０の検品が必須であることを示すメッセージ８０を作成する（Ｓ３５）。読み取り回数７２がいき値７６以上でなければ（Ｓ３４でＮ）、同部は、物品１０の検品が任意であることを示すメッセージ８０を作成する（Ｓ３６）。その後同部は、価格７１、作成したメッセージ８０、読み取り回数７２、および、付帯情報７５を端末４０に送信する（Ｓ３７）。
【００４０】
図１１は、メッセージ８０の例を示す。なお、端末４０において、付帯情報７５は、このメッセージ８０の下に出力されてもよい。
【００４１】
端末４０ではＩＯ部４８が当該メッセージ８０、読み取り回数７２、および、付帯情報７５を受信して、出力部４７に出力する（Ｓ２３）。例えば、出力部４７は図示しない画面に表示したり、図示しないスピーカーから音声を出力したりする。
【００４２】
また、端末４０では、管理部４４が制御部３６から価格７１を受信して管理処理を行う（Ｓ２４）。例えば、精算部４５が前述の精算処理を行う。
【００４３】
端末４０ではＩＯ部４８は、入力部４９から付帯情報７５の更新情報を入力して、物品管理サーバ３０に送信する（Ｓ２５）。
【００４４】
物品管理サーバ３０の制御部３６は、更新情報を端末４０から受信して、当該更新情報に基づき、情報ＤＢ３２の付帯情報７５を更新する（Ｓ３８）。
【００４５】
本実施形態において、ＩＤソース１４は物品ＩＤ７０をバーコードで表示するバーコードラベル１６であってもよい。バーコードは、一次元でも多次元でもよい。第１と第２のＩＤリーダ２０、４２は、各々、第１と第２のバーコードリーダ２２、４１となる。そして、第１のバーコードリーダ２２の読み取り部２４が、鏡２６または鏡を備えた部屋２７等に備えられる。
【００４６】
また、物品１０は本であって、第１のＩＣリーダ２０のアンテナ２３等は試読用のいすやテーブル等に備えられていてもよい。
【００４７】
さらに、端末４０は、第２のＩＤリーダ４２を備えていなくてもよい。この場合、例えば、売り場の販売員が精算部４５の図示せぬ入力装置を操作して物品ＩＤ７０を入力してもよい。
【００４８】
本実施形態の第１の効果は、顧客に商品を渡す際に商品の品質を管理して、顧客に渡される商品の品質を担保できることである。その理由は、物品管理サーバ３０が、精算部４５を備えた売り場の端末４０に、第１のＩＤリーダ２０を用いて計測した試着回数の推定値に基づく表示を出力するからである。この出力を受け、物品１０の支払い精算を行う売り場の販売員は、試着回数の多い物品１０の検品を行うことが出来る。
【００４９】
第２の効果は、店員が効率よく検品できることである。その理由は、端末４０に、種別７３、例えば、商品型番ごとの付帯情報７５を出力するからである。付帯情報７５に、過去の検品実績を入力することにより、検品のためのチェックリストとすることが出来る。
【００５０】
次に、本発明の第２の実施形態について説明する。本実施形態は、以下に説明する事項を除き、第１の実施形態と同じである。
【００５１】
物品１０は、貸し出し可能な品物、例えば、視聴覚ライブラリにおける視聴覚教材であってもよい。視聴覚教材は、ビデオテープ、ＤＶＤ（Digital Versatile Disk）、音楽テープ、音楽ＣＤ（Compact Disk）等である。
【００５２】
本実施形態において、図１の管理部４４は貸し出し部４６であり、管理処理として貸し出し処理を行う（図６のＳ２４）。貸し出し処理は、例えば、物品ＩＤ７０を入力して、視聴覚教材の貸し出し登録を行う貸し出しサーバに送信することである。
【００５３】
図１のＩＤリーダ２０のアンテナ２３は、視聴覚ライブラリ館内の閲覧用ＣＤプレーヤやＤＶＤプレーヤ等に設けられている。
【００５４】
なお、本実施形態において、図２の物品ＤＢ３４は価格７１を格納せず、価格７１に関する処理（図６）は行われない。
【００５５】
本実施形態の効果は、利用者に貸し出し品を渡す際に貸し出し品の品質を管理して、利用者に渡される貸し出し品の品質を担保できることである。その理由は、物品管理サーバ３０が、貸し出し部４６を備えた端末４０に、第１のＩＤリーダ２０を用いて計測した館内閲覧回数の推定値に基づく表示を出力するからである。この出力を受け、物品１０の貸し出しを行う貸し出しカウンタの係員は、閲覧回数の多い物品１０の検品を行うことが出来る。
【００５６】
次に、本発明の第３の実施形態について説明する。図７は、本実施形態の物品管理システム６０を示す。本実施形態は、以下に説明する事項を除き、第１の実施形態と同じである。
【００５７】
本実施形態の端末４０において、第２のＩＤリーダ４２は管理部４４ではなく、ＩＯ部４２と接続される。管理部４４はネットワーク５０と接続されていても、いなくてもよい。
【００５８】
図２の物品ＤＢ３４は価格７１を格納していてもいなくてもよい。
【００５９】
図８は、本実施形態における第２のＩＤリーダ４２からの読み取り処理フローチャートである。
【００６０】
端末４０の第２のＩＤリーダ４２がＩＤソース１４から物品ＩＤ７０を読み取る（Ｓ４１）と、ＩＯ部４８は第２のＩＤリーダ４２から物品ＩＤ７０を入力して物品管理サーバ３０に送信する（Ｓ４２）。
【００６１】
物品管理サーバ３０の制御部３６は、当該物品ＩＤ７０を端末４０から入力して（Ｓ５１）、入力した物品ＩＤ７０に対応する読み取り回数７２を物品ＤＢ３４から取得する（Ｓ５２）。同部は、物品ＩＤ７０から種別７３を取り出して、取り出した種別７３に対応する付帯情報７５およびいき値７６を情報ＤＢ３２から取得する（Ｓ５３）。
【００６２】
両者を比較して、読み取り回数７２がいき値７６以上であれば（Ｓ５４でＹ）、物品管理サーバ３０の制御部３６は、物品１０の検品が必須であることを示すメッセージ８０を作成する（Ｓ５５）。読み取り回数７２がいき値７６以上でなければ（Ｓ５４でＮ）、同部は、物品１０の検品が任意であることを示すメッセージ８０を作成する（Ｓ５６）。その後同部は、作成したメッセージ８０、読み取り回数７２、および、付帯情報７５を端末４０に送信する（Ｓ５７）。
【００６３】
端末４０ではＩＯ部４８が当該メッセージ８０、読み取り回数７２、および、付帯情報７５を受信して、出力部４７に出力する（Ｓ４３）。
【００６４】
また、端末４０では、管理部４４が管理処理を行う（Ｓ４４）。例えば、精算部４５が、前述の精算処理を行う。ただし、本実施形態においては、精算部４５は価格情報を物品管理サーバ３０から入力せず、例えば、精算部４５に接続された図示しない、販売員が操作する入力装置から入力する。精算部４５は、価格情報を、図示しない他のサーバから入力してもよい。
【００６５】
本実施形態では、端末４０が備える精算部４５は、一人の販売員が扱うことが出来る程度に端末４０の他の部分の近傍に設置された別きょう体の装置であってもよい。
【００６６】
端末４０ではＩＯ部４８は、入力部４９から付帯情報７５の更新情報を入力して、物品管理サーバ３０に送信する（Ｓ４５）。
【００６７】
物品管理サーバ３０の制御部３６は、更新情報を端末４０から受信して、当該更新情報に基づき、情報ＤＢ３２の付帯情報７５を更新する（Ｓ５８）。
【００６８】
本実施形態の効果は、管理部４４（精算部４５）として、従来から存在するキャッシュレジスタやＰＯＳ（Point Of Sales）端末４０を流用できることである。その理由は、第２のＩＤリーダ４２をＩＯ部４８に接続し、さらに、価格情報を物品管理サーバ３０以外から入力するように構成したからである。
【００６９】
図９は、本発明にかかる物品管理サーバ３０の一例を示す。この物品管理サーバ３０は、第１のＩＤリーダ２０および端末４０と接続される。この物品管理サーバ３０は、物品ＩＤ７０と読み取り回数７２を対応付けて格納する物品ＤＢ３４と、制御部３６を備える。
【００７０】
図１０は、本発明にかかる端末４０の一例を示す。この端末４０は、物品管理サーバ３０の制御部３６と接続される。この端末４０は、管理部４４と、第２のＩＤリーダ４２と、出力部４７を備える。
【符号の説明】
【００７１】
１０    物品
１１    衣服
１４    ＩＤソース
１５    ＩＣタグ
１６    バーコードラベル
２０    第１のＩＤリーダ
２１    第１のＩＣタグリーダ
２２    第１のバーコードリーダ
２３    アンテナ
２４    読み取り部
２６    鏡
２７    鏡を備えた部屋
３０    物品管理サーバ
３２    情報ＤＢ
３４    物品ＤＢ
３６    制御部
３９    物品管理プログラム
４０    端末
４１    第２のバーコードリーダ
４２    第２のＩＤリーダ
４３    第２のＩＣタグリーダ
４４    管理部
４５    精算部
４６    貸し出し部
４７    出力部
４９    入力部
５０    ネットワーク
６０    物品管理システム
７０    物品ＩＤ
７１    価格
７２    読み取り回数
７３    種別
７４    連番
７５    付帯情報
７６    いき値
８０    メッセージ
【図１】
0005482861.tif 000002
【図２】
0005482861.tif 000003
【図３】
0005482861.tif 000004
【図４】
0005482861.tif 000005
【図５】
0005482861.tif 000006
【図６】
0005482861.tif 000007
【図７】
0005482861.tif 000008
【図８】
0005482861.tif 000009
【図９】
0005482861.tif 000010
【図１０】
0005482861.tif 000011
【図１１】
0005482861.tif 000012